(57)【要約】【課題】本発明は、車載受信機と、それを搭載した自動車に関するもので、小型化を図ることを目的とするものである。【解決手段】そしてこの目的を達成するために本発明は、デジタル放送受信チューナ１４と、このデジタル放送受信チューナ１４に接続されたスキャン制御部１３と、このスキャン制御部１３に接続されたスキャン操作部１０、および各種記憶部とを備え、前記スキャン制御部１３は、チャネルスキャン動作時に、先ずＮＩＴを受信して受信チャネルを特定し、次に、この受信チャネルの特定までの間に、この特定受信チャネルのワークキーＫｗを含んだＥＭＭの先頭パケットを受信している場合には、この特定受信チャネルに対するＥＭＭの全てのパケットを受信するまで、このチャネルスキャン動作を継続させる構成とした。【選択図】図６
2014192677.tif 000002
【特許請求の範囲】
【請求項１】
デジタル放送受信チューナと、このデジタル放送受信チューナに接続されたスキャン制御部と、このスキャン制御部に接続されたスキャン操作部、および記憶部とを備え、前記スキャン制御部は、チャネルスキャン動作時に、先ずＮＩＴ（Ｎｅｔｗｏｒｋ  Ｉｎｆｏｒｍａｉｏｎ  Ｔａｂｌｅ）を受信して受信チャネルを特定し、次に、この受信チャネルの特定までの間に、この特定受信チャネルのワークキーＫｗを含んだＥＭＭ（Ｅｎｔｉｔｌｅｍｅｎｔ  Ｍａｎａｇｅｍｅｎｔ  Ｍｅｓｓａｇｅ）の先頭パケットを受信している場合には、この特定受信チャネルに対するＥＭＭの全てのパケットを受信するまで、このチャネルスキャン動作を継続させる構成とした車載受信機。
【請求項２】
スキャン制御部は、受信チャネルの特定までの間に、この特定受信チャネルのワークキーＫｗを含んだＥＭＭの先頭パケットを受信している場合には、この特定受信チャネルに対するＥＭＭの全てのパケットを受信するまで、このチャネルスキャン動作を継続させ、この継続チャネルスキャン動作時に受信するＥＭＭのパケットは記憶部に記憶させ、その後、この記憶部のＥＭＭから、ワークキーＫｗを抽出する構成とした請求項１に記載の車載受信機。
【請求項３】
スキャン制御部には、スキャン操作部を接続した請求項１または２に記載の車載受信機。
【請求項４】
スキャン制御部は、チャネルスキャン動作時に、先ずＮＩＴを受信して受信チャネルを特定し、次に、この受信チャネルの特定までの間に、この特定受信チャネルのワークキーＫｗを含んだＥＭＭの先頭パケットを受信している場合には、この特定受信チャネルに対するＥＭＭの全てのパケットを受信するまで、このチャネルスキャン動作を継続させ、前記受信チャネルの特定までの間に、この特定受信チャネルのワークキーＫｗを含んだＥＭＭの先頭パケットを受信していない場合には、この特定受信チャネルに対するＥＭＭの受信を中断する構成とした請求項１から３のいずれか一つに記載の車載受信機。
【請求項５】
スキャン制御部は、受信チャネルの特定までの間に、この特定受信チャネルのワークキーＫｗを含んだＥＭＭの先頭パケットを受信していない場合には、この特定受信チャネルに対するＥＭＭの受信を中断し、次のチャネルのスキャン動作を行う構成とした請求項４に記載の車載受信機。
【請求項６】
請求項１から５のいずれか一つに記載の車載受信機を、車内に設けた自動車。
【発明の詳細な説明】
【技術分野】
【０００１】
本発明は、車載受信機と、それを搭載した自動車に関するものである。
【背景技術】
【０００２】
放送局からデジタル放送電波によって放送される番組コンテンツは、例えば、図１に示すようにスクランブル化されている。
【０００３】
即ち、番組コンテンツは、スクランブル部１において、スクランブルキーＫｓによって暗号化され、デジタル放送電波として送信されるようになっている。
【０００４】
また、スクランブルキーＫｓは、暗号部２において、ワークキーＫｗによって暗号化され、ＥＣＭ（Ｅｎｔｉｔｌｅｍｅｎｔ  Ｃｏｎｔｒｏｌ  Ｍｅｓｓａｇｅ）として送信されるようになっている。
【０００５】
さらに、ワークキーＫｗは暗号部３において、デバイスキーＫｄによって暗号化され、ＥＭＭ（Ｅｎｔｉｔｌｅｍｅｎｔ  Ｍａｎａｇｅｍｅｎｔ  Ｍｅｓｓａｇｅ）として送信されるようになっている。
【０００６】
具体的には、これらのデジタル放送電波は、図２のように連続的なデジタル放送データとして放送局から送信されている。
【０００７】
尚、図２のＮＩＴ（Ｎｅｔｗｏｒｋ  Ｉｎｆｏｒｍａｉｏｎ  Ｔａｂｌｅ）は、放送局を識別するＩＤなどが格納されたものである。
【０００８】
また、ＢＩＴ（Ｂｒｏａｄｃａｓｔｅｒ  Ｉｎｆｏｒｍａｉｏｎ  Ｔａｂｌｅ）は、系列を識別するＩＤなどが格納されたものである。
【０００９】
図１では、理解をしやすくするために、番組コンテンツとＥＣＭとＥＭＭを並列に記載しているが、実際には図２の状態で送信されている。
【００１０】
さて、車載受信機側では、先ず自らが保有するデバイスキーＫｄを用いて、復号部４で復号処理を行い、ワークキーＫｗを抽出する。
【００１１】
次に、このワークキーＫｗを用いて、復号部５で復号処理を行い、スクランブルキーＫｓを抽出する。
【００１２】
その後、スクランブルキーＫｓを用いて、デスクランブル部６により映像、音声、放送局を識別するＩＤ、系列を識別するＩＤなどを復号する。
【００１３】
そしてこれにより、映像と音声が出力されるようになっている（これに類似する技術は例えば下記特許文献１に記載されている）。
【先行技術文献】
【特許文献】
【００１４】
【特許文献１】特開２００８−３０１２９２号公報
【発明の概要】
【発明が解決しようとする課題】
【００１５】
上記従来例において、自動車の移動により、今まで受信していた放送局から、異なる放送局からの番組コンテンツを受信するためには、改めて、その放送局のＥＭＭを受信し、ワークキーＫｗを抽出しなければならないが、このＥＭＭは図２からも理解されるように、一連の放送電波中に整列状態で含まれるものであるので、タイミングによっては、受信までの間に、例えば１５秒もかかることがある。
【００１６】
つまり、この間には、その放送局からの番組コンテンツを受信することが出来ない事態が発生してしまう。
【００１７】
そこで、上記先行技術文献では、複数のチューナを用い、選局に用いていないチューナによって、予めその地点（自動車の存在する地点）において放送されている放送電波から、各局ＩＤと、ワークキーＫｗを抽出し、それを保存するようにしている。
【００１８】
つまり、このようにすれば、移動した地点で、次の選局をしたときには、既にその放送局のＩＤとワークキーＫｗを保存できているので、直ちにその放送局の番組コンテンツを受信することが出来るのである。
【００１９】
しかしながら、そのようにした場合には、複数のチューナを用意しなければならないので、このような車載受信機を備えた車載機器の小型化が図りにくいものとなる。
【００２０】
そこで、本発明は小型化を図りやすくすることを目的とするものである。
【課題を解決するための手段】
【００２１】
そしてこの目的を達成するために本発明は、デジタル放送受信チューナと、このデジタル放送受信チューナに接続されたスキャン制御部と、このスキャン制御部に接続されたスキャン操作部、および記憶部とを備え、前記スキャン制御部は、チャネルスキャン動作時に、先ずＮＩＴ（Ｎｅｔｗｏｒｋ  Ｉｎｆｏｒｍａｉｏｎ  Ｔａｂｌｅ）を受信して受信チャネルを特定し、次に、この受信チャネルの特定までの間に、この特定受信チャネルのワークキーＫｗを含んだＥＭＭ（Ｅｎｔｉｔｌｅｍｅｎｔ  Ｍａｎａｇｅｍｅｎｔ  Ｍｅｓｓａｇｅ）の先頭パケットを受信している場合には、この特定受信チャネルに対するＥＭＭの全てのパケットを受信するまで、このチャネルスキャン動作を継続させる構成とし、これにより所期の目的を達成するものである。
【発明の効果】
【００２２】
以上のように本発明は、デジタル放送受信チューナと、このデジタル放送受信チューナに接続されたスキャン制御部と、このスキャン制御部に接続されたスキャン操作部、および記憶部とを備え、前記スキャン制御部は、チャネルスキャン動作時に、先ずＮＩＴを受信して受信チャネルを特定し、次に、この受信チャネルの特定までの間に、この特定受信チャネルのワークキーＫｗを含んだＥＭＭの先頭パケットを受信している場合には、この特定受信チャネルに対するＥＭＭの全てのパケットを受信するまで、このチャネルスキャン動作を継続させる構成としたので、小型化が図りやすいものとなる。
【００２３】
すなわち、受信チャネルの特定までの間に、この特定受信チャネルのワークキーＫｗを含んだＥＭＭの先頭パケットを受信した場合には、それを無駄にすることなく、このチャネルスキャン動作を継続させる構成としたので、スキャン動作が速いものとなり、このようにスキャン動作が速ければ、あえてデジタル放送受信チューナを複数設ける必要は無く、その結果として、小型化が図りやすいものとなるのである。
【図面の簡単な説明】
【００２４】
【図１】放送局からのデジタル放送電波を受信する車載受信機を示す図
【図２】同、デジタル放送電波を示す図
【図３】本発明の一実施形態にかかる車載用受信機を説明するための図
【図４】同、車載用受信機によるスキャン動作を示す図
【図５】同、車載用受信機によるスキャン動作を示す図
【図６】同、車載用受信機の制御ブロック図
【図７】同、車載用受信機によるスキャン動作を示す図
【図８】同、車載用受信機によるスキャン動作を示す図
【図９】同、車載用受信機によるスキャン動作を示す動作フローチャート
【図１０】同、車載用受信機によるスキャン動作を示す動作フローチャート
【図１１】同、車載用受信機によるスキャン動作を示す動作フローチャート
【図１２】同、車載用受信機によるスキャン動作を示す動作フローチャート
【図１３】同、車載用受信機によるスキャン動作を示す動作フローチャート
【発明を実施するための形態】
【００２５】
以下、本発明の一実施形態を、添付図面を用いて説明する。
【００２６】
（実施の形態１）
図３において、７は自動車で、この図３においては、放送局Ａの放送エリアから、放送局Ｂの放送エリアに移動した状態を示している。
【００２７】
このように放送局Ｂの放送エリアに始めて移動した場合には、その地点において、図４のごとく、車載用受信機８によるスキャン動作を行う必要がある。
【００２８】
すなわち、図４においては、表示部９のスキャン操作部１０を操作した状態を示し、それによってこの表示部９には、そのスキャン状態が、横の棒グラフ１１とその他の文字１２によって順次表示されるようになっている。
【００２９】
図５は、図４以降に、特定受信チャネルのワークキーＫｗが受信されたことが文字１２によって表示されている。
【００３０】
図６は前記車載用受信機８の制御ブロック図を示しているが、選局操作や、選局した映像や音声の出力構成は、従来のものと同様な構成となっているので、説明の煩雑化を避けるために、その部分は簡略化し、本実施形態の特徴である図３〜図５で示したスキャン動作部分を中心に記載している。
【００３１】
この図６に示すように、図４、図５の表示部９とスキャン操作部１０は、スキャン制御部１３に接続され、このスキャン制御部１３にデジタル放送受信チューナ１４が接続されている。
【００３２】
また、スキャン制御部１３には、その他に、視聴中受信状態監視部１５、タイマー記憶部１６、ＮＩＴ一時記憶部１７、ＥＭＭ一時記憶部１８、チャネルリスト記憶部１９、スキャン対象チャネルリスト記憶部２０、デバイスキー記憶部２１、ワークキー記憶部２２、スクランブルキー記憶部２３、タイマーユニット部２４が接続されている。
【００３３】
動作説明に先立ち、各部の説明を行うと、前記視聴中受信状態監視部１５は、ＴＶの視聴中に電波状態が悪くなったときに、受信感度の良い方向にスキャンするための動作をスキャン制御部１３に伝達するものである。
【００３４】
また、タイマー記憶部１６は、チャネルスキャン動作のタイムアウト時間を設定するも
ので、これについては、後に詳細に説明する。
【００３５】
ＮＩＴ一時記憶部１７は、ＴＳパケット単位でＮＩＴを取り出しては、追記してＮＩＴを完成させるためのもので、ＮＩＴ取得済みフラグを保有する。
【００３６】
ＥＭＭ一時記憶部１８は、ＴＳパケット単位でＥＭＭを取り出しては、追記してＥＭＭを完成させるためのもので、ＥＭＭ取得済みフラグと、ＥＭＭ先頭リードフラグを保有する。
【００３７】
チャネルリスト記憶部１９は、スキャン対象の特定受信チャネルを受信することで完成したＮＩＴから、放送局名やリモコンＩＤなどの放送局情報を、特定受信チャネルに関係付けて記憶する部分である。
【００３８】
このチャネルリスト記憶部１９内の放送局名やリモコンＩＤなどの放送局情報は、電源をＯＦＦ状態としても継続的に保持し続ける必要性から、例えば、ＮＶＲＡＭなどが活用される。
【００３９】
スキャン対象チャネルリスト記憶部２０は、スキャン制御部１３がスキャンする対象とするチャネルのリストを有する。
【００４０】
また、各チャネルは、スキャン済みか否かの判定をするためのフラグ情報を有し、スキャン時には全てのチャネルのフラグを０とし、スキャン済みは１とする。
【００４１】
デバイスキー記憶部２１は、車載用受信機８がデバイスキーＫｄを保持する部分で、例えば、ＮＶＲＡＭなどが活用される。
【００４２】
ワークキー記憶部２２は、上述のごとく、ＥＭＭから抽出された放送局ごとのワークキーＫｗを保持する部分で、ＮＶＲＡＭなどが活用され、放送局ごとに、ＥＭＭ保存済みフラグを有する。ＥＭＭのワークキーＫｗはＲＭＰ事業体毎に異なり、複数の放送局が同じＲＭＰ事業体を構成することも可能だが、説明の煩雑化を避けるために、放送局毎にＲＭＰ事業体が異なるものとして簡略化して記載している。
【００４３】
スクランブルキー記憶部２３は、放送局ごとのスクランブルキーＫｓを保持する部分である。
【００４４】
タイマーユニット部２４は、チャネルごとのスキャン時間を設定したタイマー時間（スキャンタイマー）や、チャネルごとのスキャン開始からＥＭＭ完成までの時間を設定したタイマー時間（ＥＭＭタイマー）を有する。
【００４５】
以下、チャネルスキャン動作について、説明する。
【００４６】
図７、図８はデジタル放送電波を示し、図２におけるＥＣＭや、ＢＩＴや、ＥＣＭは、チャネルスキャン動作時には関係ないので、説明の煩雑化を避けるために表示していない。
【００４７】
また、ＥＭＭについては、例えば２３個のＴＳパケットに分割されて送信されるので、この図７では、ＥＭＭの先頭パケット２５と、ＥＭＭの最後パケット２６を表示している。
【００４８】
本実施形態で、特徴的なのは、チャネルスキャン動作において、図７のごとく、先ずＮ
ＩＴ２７を受信して受信チャネルを特定した状態で、次に、この受信チャネルの特定までの間に、この特定受信チャネルのワークキーＫｗを含んだＥＭＭの先頭パケット２５を受信している場合には、この特定受信チャネルに対するＥＭＭの最後パケット２６を受信するまで（全てのパケットを受信するまで）、このチャネルスキャン動作を継続させる構成としたことである。
【００４９】
逆に、図８のごとく、チャネルスキャン動作において、ＮＩＴ２７を受信して受信チャネルを特定した状態で、次に、この受信チャネルの特定までの間に、この特定受信チャネルのワークキーＫｗを含んだＥＭＭの先頭パケット２５を受信していない場合には、この特定受信チャネルに対するチャネルスキャン動作を終了する構成としている。
【００５０】
具体的には、先ず図４のごとく、表示部９にチャネルスキャンのためのスキャン操作部１０を表出させた状態（従来から行われているように、図示しない選択キー操作でこれは表示される）で、スキャン操作部１０を操作すると、スキャン制御部１３によってスキャン操作が開始される（図９のＳ１、Ｓ２、Ｓ３）。
【００５１】
すると、その地点（例えば図３におけるＢ地点）におけるチャネルスキャン動作が開始される（図１０のＳ１）。
【００５２】
先ず、スキャン制御部１３は、スキャン対象チャネルの初期化を実行する（図１０のＳ２）。
【００５３】
次に、スキャン対象チャネルの初期化が完了すると（図１０のＳ３）、その後、デジタル放送受信チューナ１４をスキャン対象チャネルに設定する（図１０のＳ４）。
【００５４】
そして、その場所で、視聴中受信状態監視部１５によって、対象とするデジタル放送が受信できるか否かの判定が行われ（図１０のＳ５）、受信可能状態であれば、次に図１１に示す初期化処理が実行される（図１０のＳ６）。
【００５５】
この初期化処理においては、図１１に示すように、先ず、タイマーユニット部２４のタイマー時間を０にする（図１１のＳ１）。
【００５６】
即ち、タイマーユニット部２４は、上述のごとく、チャネルごとのスキャン時間を設定したタイマー時間（スキャンタイマー）や、チャネルごとのスキャン開始からＥＭＭ完成までの時間を設定したタイマー時間（ＥＭＭタイマー）を有する。
【００５７】
次に、タイマー記憶部１６によって、スキャンタイムアウト値を、例えば３秒に設定する（図１１のＳ２）。
【００５８】
次に、ＮＩＴ一時記憶部１７のバッファーをクリアーする（図１１のＳ３）。
【００５９】
即ち、ＮＩＴ一時記憶部１７は、上述のごとく、ＴＳパケット単位でＮＩＴを取り出しては、追記してＮＩＴを完成させるためのもので、これをクリアーするものである。
【００６０】
続いて、ＮＩＴ一時記憶部１７のＮＩＴ取得済みフラグを０にする（図１１のＳ４）。
【００６１】
次に、タイマーユニット部２４において設定した、チャネル毎のスキャン開始からＥＭＭ完成までの時間を設定したタイマー時間（ＥＭＭタイマー）を０にする（図１１のＳ５）。
【００６２】
即ち、タイマーユニット部２４は、上述のごとく、チャネル毎のスキャン時間を設定したタイマー時間（スキャンタイマー）や、チャネル毎のスキャン開始からＥＭＭ完成までの時間を設定したタイマー時間（ＥＭＭタイマー）を有する。
【００６３】
次に、ＥＭＭ一時記憶部１８のＥＭＭ先頭リードフラグを０にする（図１１のＳ６）。即ち、ＥＭＭ一時記憶部１８は、上述のごとく、ＴＳパケット単位でＥＭＭを取り出しては、追記してＥＭＭを完成させるためのもので、ＥＭＭ取得済みフラグと、ＥＭＭ先頭リードフラグを保有する。
【００６４】
続いて、ＥＭＭ一時記憶部１８のバッファーをクリアーする（図１１のＳ７）。
【００６５】
その後、ＥＭＭ一時記憶部１８のＥＭＭ取得済みフラグを０にする（図１１のＳ８）。
【００６６】
これにて、スキャン対象チャネルの初期化が完了する（図１１のＳ９）。
【００６７】
続いて、スキャン制御部１３は、（図１０のＳ７）へと移行し、特定受信チャネルに対するチャネルスキャン動作を継続する。
【００６８】
先ず、ＮＩＴ一時記憶部１７のＮＩＴ取得済みフラグが１、またはタイマーユニット部２４において設定した、チャネル毎のスキャン時間が、タイマー記憶部１６によって、設定したスキャンタイムアウト値（例えば３秒）に達していないかを判定する（図１０のＳ７）。
【００６９】
つまり、特定受信チャネルのＩＤが，既に取得されていない状態で、かつスキャンタイムアウト値（例えば３秒）に達していない場合には、（図１０のＳ８）へと移行させるのである。
【００７０】
また、この（図１０のＳ７）において、ＮＩＴ一時記憶部１７のＮＩＴ取得済みフラグが１でなく、またはタイマーユニット部２４において設定した、チャネル毎のスキャン時間が、タイマー記憶部１６によって、設定したスキャンタイムアウト値（例えば３秒）よりも大きいと判定されると、続いて、スキャン制御部１３はワークキー記憶部２２のＥＭＭ保存済みフラグが１か、否かの判定を行う（図１０のＳ１２）。
【００７１】
そして、この（図１０のＳ１２）において、ワークキー記憶部２２のＥＭＭ保存済みフラグが１でなければ、続いて、スキャン制御部１３は、ＥＭＭ先頭リードフラグが１（ＥＭＭの先頭パケット２５を受信済み）で、しかもタイマーユニット部２４のタイマー時間（ＥＭＭタイマー）が、タイマー記憶部１６によって設定したスキャンタイムアウト値（例えば３秒）よりも小さければ（図１０のＳ１３）、（図１０のＳ８）へと移行させる。
【００７２】
つまり、ＮＩＴが取得できた状態で、現在受信中（特定受信チャネル）のワークキーＫｗを含んだＥＭＭの先頭パケットを受信できている場合には、それを無駄にすることなく、このチャネルスキャン動作を継続させる構成としたので、スキャン動作が速いものとなり、このようにスキャン動作が速ければ、あえてデジタル放送受信チューナを複数設ける必要は無く、その結果として、小型化が図りやすいものとなるのである。
【００７３】
また、このように、チャネルスキャン動作が速ければ、自動車の運転にも好ましいものとなる。
【００７４】
また、（図１０のＳ５）で受信できない場合や、（図１０のＳ１２）でワークキー記憶部２２のＥＭＭ保存済みフラグが１の場合は、次のＣＨを受信対象とする設定が行われる
（図１０のＳ１４）。
【００７５】
さらに、（図１０のＳ１３）でＥＭＭ先頭リードフラグが１でなく、または、タイマーユニット部２４のタイマー時間（ＥＭＭタイマー）が、タイマー記憶部１６によって設定したスキャンタイムアウト値（例えば３秒）よりも大きい場合には、次のＣＨを受信対象とする設定が行われる（図１０のＳ１４）。
【００７６】
つまり、ＥＭＭ先頭リードフラグを受信できていない場合には、次のＣＨを受信対象とする設定が行われるのである。
【００７７】
次に、（図１０のＳ８）では、スキャン制御部１３はデジタル放送受信チューナ１４からのデータ（例えば図７、図８）を読み出し、ＴＳパケットが完成したか、否かを判定し（図１０のＳ９）、完成した場合には、次に、完成したＴＳパケットがＮＩＴ（Ｎｅｔｗｏｒｋ  Ｉｎｆｏｒｍａｉｏｎ  Ｔａｂｌｅ）か、否かを判定し（図１０のＳ１０）、ＮＩＴであれば、次にＮＩＴ処理を行う（図１０のＳ１１）。
【００７８】
このＮＩＴ処理は、具体的には図１２のように実行される。
【００７９】
スキャン制御部１３がＮＩＴ処理を開始すると（図１２のＳ１）、先ず、ＮＩＴ一時記憶部１７のＮＩＴ取得済みフラグが１か、否かを判定し（図１２のＳ２）、ＮＩＴ取得済みフラグが１でなければ、その放送局のＩＤが取得できていない状態なので、次に、ＴＳパケットがＮＩＴの先頭であれば、ＴＳパケットをＮＩＴ一時記憶部１７へ保存し、ＮＩＴを完成させる（図１２のＳ３、Ｓ４、Ｓ５）。
【００８０】
また、（図１２のＳ３）において、ＴＳパケットがＮＩＴの先頭でなければ、ＴＳパケットをＮＩＴ一時記憶部１７へ追加し、ＮＩＴを完成させる（図１２のＳ３、Ｓ６、Ｓ５）。
【００８１】
そして、このようにしてＮＩＴが完成すると、放送局情報と対象ＣＨ情報をチャネルリスト記憶部１９へ保存し（図１２のＳ７）、続いてＮＩＴ一時記憶部１７のＮＩＴ取得済みフラグを１にする（図１２のＳ８）。
【００８２】
次に、スキャン制御部１３は、上述のごとくチャネルリスト記憶部１９に放送局情報と対象ＣＨ情報が記憶された特定放送局のワークキーＫｗがワークキー記憶部２２に記憶されているか、否かを判定し、記憶（保存）されていれば、ワークキー記憶部２２のＥＭＭ保存済みフラグを１とし、ＮＩＴ処理を終了する（図１２のＳ９、Ｓ１０、Ｓ１１）。
【００８３】
また、（図１２のＳ９）において、チャネルリスト記憶部１９に放送局情報と対象ＣＨ情報が記憶された特定放送局のワークキーＫｗがワークキー記憶部２２に記憶（保存）されていなければ、次に、スキャン制御部１３は、ＥＭＭ一時記憶部１８のＥＭＭ取得済みフラグが１か、否かの判定を行い（図１２のＳ１２）、続いてワークキー記憶部２２に放送局情報と対象ＣＨ情報を記憶させ（図１２のＳ１３）、その後（図１２のＳ１０）へと進ませる。
【００８４】
また、（図１０のＳ１０）において、完成したＴＳパケットがＮＩＴでなく、ＥＭＭであった場合、スキャン制御部１３は、ＥＭＭ処理を実行する（図１０のＳ１５、Ｓ１６）。
【００８５】
なお、（図１０のＳ１５）において、完成したＴＳパケットがＥＭＭでない場合には、その他処理が開始されるが、ここでは、説明の煩雑化を避けるために説明は省略する（図
１０のＳ１７）。
【００８６】
このＥＭＭ処理は、具体的には図１３のように実行される。
【００８７】
先ず、スキャン制御部１３がＥＭＭ処理を開始すると（図１３のＳ１）、ＥＭＭ一時記憶部１８のＥＭＭ取得済みフラグが０か、否かの判定が行われる（図１３のＳ２）。
【００８８】
続いて、特定受信チャネルのワークキーＫｗを含んだＥＭＭの先頭パケット２５を受信しているか、否かを判定し、ＥＭＭの先頭パケット２５であれば、それをＥＭＭ一時記憶部１８に保存（図１３のＳ３、Ｓ４）し、続いてＥＭＭ一時記憶部１８の先頭リードフラグを１とし、またタイマーユニット部２４において設定した、チャネル毎のスキャン開始からＥＭＭ完成までの時間を設定したタイマー時間（ＥＭＭタイマー）を０とし（図１３のＳ５）、その後、ＥＭＭに、本実施形態の車載用受信機８に対するデバイスキーＫｄが含まれているか、否かの判定が行われる（図１３のＳ６）。
【００８９】
また、（図１３のＳ３）において、ＥＭＭの先頭パケット２５を受信していない状態であれば、次に、ＥＭＭ一時記憶部１８の先頭リードフラグが１であることを確認し（図１３のＳ７）、続いて、ＴＳパケットをＥＭＭ一時記憶部１８に追加（図１３のＳ８）し、その後、（図１３のＳ６）へと進む。
【００９０】
さらに、（図１３のＳ７）において、ＥＭＭ一時記憶部１８の先頭リードフラグが１でない場合には、（図１３のＳ２）へと戻る。
【００９１】
上記（図１３のＳ６）において、ＥＭＭに、本実施形態の車載用受信機８に対するデバイスキーＫｄが含まれておれば、ＥＭＭが完成したか、否かの判定が行われる（図１３のＳ９）。
【００９２】
また、（図１３のＳ６）において、ＥＭＭに、本実施形態の車載用受信機８に対するデバイスキーＫｄが含まれていなければ、スキャン制御部１３は、次に、ＥＭＭ一時記憶部１８の先頭リードフラグを０、タイマーユニット部２４のタイマー時間（ＥＭＭタイマー）を０、ＥＭＭ一時記憶部１８のバッファーをクリアーする（図１３のＳ１０）。
【００９３】
また、（図１３のＳ９）において、ＥＭＭが完成しておれば、ＥＭＭ一時記憶部１８のＥＭＭ取得済みフラグを１とし（図１３のＳ１１）、次に、ＮＩＴ一時記憶部１７のＮＩＴ取得済みフラグが１か、否かを判定する（図１３のＳ１２）。
【００９４】
そして、（図１３のＳ１２）においてＮＩＴ一時記憶部１７のＮＩＴ取得済みフラグが１であれば、その放送局のワークキーＫｗをワークキー記憶部２２に保存（図１３のＳ１３）し、次に、ワークキー記憶部２２のその放送局のＥＭＭ保存済フラグを１とし（図１３のＳ１４）、ＥＭＭ処理を完了する（図１３のＳ１５）。
【００９５】
なお、上記実施形態では、（図９のＳ２）のごとく、スキャン操作部１０の操作により、チャネルスキャンが行われるようにしたが、例えば、ナビゲーションシステムにより、移動を検出すると、自動的にチャネルスキャンが行われるようにしても良い。
【産業上の利用可能性】
【００９６】
以上のように本発明は、デジタル放送受信チューナと、このデジタル放送受信チューナに接続されたスキャン制御部と、このスキャン制御部に接続されたスキャン操作部、および記憶部とを備え、前記スキャン制御部は、チャネルスキャン動作時に、先ずＮＩＴを受信して受信チャネルを特定し、次に、この受信チャネルの特定までの間に、この特定受信
チャネルのワークキーＫｗを含んだＥＭＭの先頭パケットを受信している場合には、この特定受信チャネルに対するＥＭＭの全てのパケットを受信するまで、このチャネルスキャン動作を継続させる構成としたので、小型化が図りやすいものとなる。
【００９７】
即ち、受信チャネルの特定までの間に、この特定受信チャネルのワークキーＫｗを含んだＥＭＭの先頭パケットを受信した場合には、それを無駄にすることなく、このチャネルスキャン動作を継続させる構成としたので、スキャン動作が速いものとなり、このようにスキャン動作が速ければ、あえてデジタル放送受信チューナを複数設ける必要は無く、その結果として、小型化が図りやすいものとなるのである。
【００９８】
したがって、自動車用の車載受信機としての活用が期待されるものとなる。
【符号の説明】
【００９９】
７  自動車
８  車載用受信機
９  表示部
１０  スキャン操作部
１１  棒グラフ
１２  文字
１３  スキャン制御部
１４  デジタル放送受信チューナ
１５  視聴中受信状態監視部
１６  タイマー記憶部
１７  ＮＩＴ一時記憶部
１８  ＥＭＭ一時記憶部
１９  チャネルリスト記憶部
２０  スキャン対象チャネルリスト記憶部
２１  デバイスキー記憶部
２２  ワークキー記憶部
２３  スクランブルキー記憶部
２４  タイマーユニット部
２５  先頭パケット
２６  最後パケット
２７  ＮＩＴ
【図１】
2014192677.tif 000003
【図２】
2014192677.tif 000004
【図３】
2014192677.tif 000005
【図４】
2014192677.tif 000006
【図５】
2014192677.tif 000007
【図６】
2014192677.tif 000008
【図７】
2014192677.tif 000009
【図８】
2014192677.tif 000010
【図９】
2014192677.tif 000011
【図１０】
2014192677.tif 000012
【図１１】
2014192677.tif 000013
【図１２】
2014192677.tif 000014
【図１３】
2014192677.tif 000015